(57)【要約】【課題】  視聴系統の受信チャンネル変更時に、その変更以前の受信チャネルを即座に他の視聴系統に設定するホームネットワーク装置を実現する。【解決手段】  現在視聴中の受信チャンネルを設定したリモコンを識別するリモコン識別データと、優先権の有無と、設定した受信チャンネル番号とを含むチャンネル設定信号を、各視聴系統（テレビ５０−１〜５０−３）毎に記憶するチャンネルテーブルＣＴＬを制御部２０に設ける。制御部２０は、チャンネル設定信号が発生する毎にチャンネルテーブルＣＴＬを参照してテレビとリモコンの組合わせが前回と異なり、かつ優先権を持つリモコンの操作によるチャンネル変更であるか否かを判断する。そうであれば、チャンネル変更の指示のあった視聴系統の現在の受信チャンネルを同じリモコンが前回チャンネル変更指示を行った視聴系統に移動させる。【選択図】  図１
2007067883.tif 000002
【特許請求の範囲】
【請求項１】
複数の視聴系統を有し、これら視聴系統がそれぞれリモコンから供給されるチャンネル変更指示により指定される受信チャンネルの放送を受信するホームネットワーク装置において、
前記リモコンのいずれかがチャンネル変更指示する毎に、今回チャンネル変更指示したリモコンと、そのチャンネル変更指示を受けた視聴系統との組合わせが前回と異なり、かつ今回チャンネル変更指示したリモコンが優先権を有するか否かを判定する判定手段と、
前記判定手段により判定される条件に合致した場合に、今回チャンネル変更指示を受けた視聴系統の受信チャンネルを、今回チャンネル変更指示したリモコンが前回チャンネル変更指示した視聴系統に割り当てるチャンネル割当て手段と
を具備することを特徴とするホームネットワーク装置。
【請求項２】
前記判定手段は、現在視聴中の受信チャンネルを設定したリモコンを識別するリモコン識別データと、そのリモコンの優先権の有無と、設定した受信チャンネル番号とを含むチャンネル変更指示を各視聴系統毎に記憶しておき、前記リモコンのいずれかがチャンネル変更指示する毎に、今回チャンネル変更指示したリモコンと、そのチャンネル変更指示を受けた視聴系統との組合わせが前回と異なり、かつ今回チャンネル変更指示したリモコンが優先権を有するか否かを判定することを特徴とする請求項１記載のホームネットワーク装置。
【請求項３】
互いに無線接続される複数の視聴系統を有し、これら視聴系統がそれぞれリモコンから供給されるチャンネル変更指示により指定される受信チャンネルの放送を受信するホームネットワーク装置において、
今回チャンネル変更指示したリモコンが前回チャンネル変更指示したリモコンとは異なり、かつ今回チャンネル変更指示したリモコンが優先権を有するか否かを判定する判定手段と、
前記判定手段により判定される条件に合致した場合に、現在の受信チャンネル番号と、今回チャンネル変更指示したリモコンのリモコン番号とを含むパケットを他の視聴系統に送信する送信手段と、
他の視聴系統が備える前記送信手段から送信されるパケットを受信し、受信したパケットに含まれるリモコン番号が現在の受信チャンネルを設定したリモコンのリモコン番号と同じであるかどうかを判断し、同じならば受信したパケットに含まれる受信チャンネル番号で指示される受信チャンネルに変更するチャンネル変更手段と
を具備することを特徴とするホームネットワーク装置。
【請求項４】
複数の視聴系統を有し、これら視聴系統がそれぞれリモコンから供給されるチャンネル変更指示により指定される受信チャンネルの放送を受信するホームネットワーク装置で実行される処理プログラムであって、
前記リモコンのいずれかがチャンネル変更指示する毎に、今回チャンネル変更指示したリモコンと、そのチャンネル変更指示を受けた視聴系統との組合わせが前回と異なり、かつ今回チャンネル変更指示したリモコンが優先権を有するか否かを判定する判定処理と、
前記判定処理により判定される条件に合致した場合に、今回チャンネル変更指示を受けた視聴系統の受信チャンネルを、今回チャンネル変更指示したリモコンが前回チャンネル変更指示した視聴系統に割り当てるチャンネル割当て処理と
をコンピュータで実行させることを特徴とするホームネットワーク装置の処理プログラム。
【請求項５】
前記判定処理は、現在視聴中の受信チャンネルを設定したリモコンを識別するリモコン識別データと、そのリモコンの優先権の有無と、設定した受信チャンネル番号とを含むチャンネル変更指示を各視聴系統毎に記憶しておき、前記リモコンのいずれかがチャンネル変更指示する毎に、今回チャンネル変更指示したリモコンと、そのチャンネル変更指示を受けた視聴系統との組合わせが前回と異なり、かつ今回チャンネル変更指示したリモコンが優先権を有するか否かを判定することを特徴とする請求項４記載のホームネットワーク装置の処理プログラム。
【請求項６】
互いに無線接続される複数の視聴系統を有し、これら視聴系統がそれぞれリモコンから供給されるチャンネル変更指示により指定される受信チャンネルの放送を受信するホームネットワーク装置で実行される処理プログラムであって、
今回チャンネル変更指示したリモコンが前回チャンネル変更指示したリモコンとは異なり、かつ今回チャンネル変更指示したリモコンが優先権を有するか否かを判定する判定処理と、
前記判定処理により判定される条件に合致した場合に、現在の受信チャンネル番号と、今回チャンネル変更指示したリモコンのリモコン番号とを含むパケットを他の視聴系統に送信する送信処理と、
他の視聴系統で実行された前記送信処理が送信するパケットを受信し、受信したパケットに含まれるリモコン番号が現在の受信チャンネルを設定したリモコンのリモコン番号と同じであるかどうかを判断し、同じならば受信したパケットに含まれる受信チャンネル番号で指示される受信チャンネルに変更するチャンネル変更処理と
をコンピュータで実行させることを特徴とするホームネットワーク装置の処理プログラム。
【発明の詳細な説明】
【技術分野】
【０００１】
本発明は、宅内の各部屋でそれぞれのユーザが見たい番組を視聴できるようにするホームネットワーク装置およびホームネットワーク装置の処理プログラムに関する。
【背景技術】
【０００２】
従来より複数のチューナを備えたホームネットワーク装置が知られている。この種の装置として、例えば特許文献１にはユーザが使用可能なチューナの受信状態を一まとめにした一覧情報を生成し、これに基づき表示装置に受信状態を一覧表示するホームネットワーク装置が開示されている。
【０００３】
【特許文献１】特開２００２−７７７５７号公報
【発明の開示】
【発明が解決しようとする課題】
【０００４】
ところで、複数の視聴系統を備えたホームネットワーク装置を用いて各ユーザがそれぞれ個別に各部屋で好みの番組を視聴している時に、例えばユーザＡが自分の部屋で視聴していた番組をリビングに移動して見ようとすると、リビングで視聴していたユーザＢはユーザＡの部屋に行って番組の続きを見ることになる。このような場合、ユーザＢは、番組の続きを視聴するためにチャンネル変更操作する必要があるが、例えばＣＳ等の多チャンネル放送であると、それまで見ていた番組のチャンネルを忘れてしまうことが多く、即座にチャンネル変更することが出来なくなるという問題がある。
【０００５】
本発明は、上述した事情に鑑みてなされたもので、ある視聴系統で受信チャンネルが変更された場合に、その変更以前の受信チャネルを即座に他の視聴系統に設定することができるホームネットワーク装置およびホームネットワーク装置の処理プログラムを提供することを目的としている。
【課題を解決するための手段】
【０００６】
上記目的を達成するため、請求項１に記載の発明では、複数の視聴系統を有し、これら視聴系統がそれぞれリモコンから供給されるチャンネル変更指示により指定される受信チャンネルの放送を受信するホームネットワーク装置において、前記リモコンのいずれかがチャンネル変更指示する毎に、今回チャンネル変更指示したリモコンと、そのチャンネル変更指示を受けた視聴系統との組合わせが前回と異なり、かつ今回チャンネル変更指示したリモコンが優先権を有するか否かを判定する判定手段と、前記判定手段により判定される条件に合致した場合に、今回チャンネル変更指示を受けた視聴系統の受信チャンネルを、今回チャンネル変更指示したリモコンが前回チャンネル変更指示した視聴系統に割り当てるチャンネル割当て手段とを具備することを特徴とする。
【０００７】
上記請求項１に従属する請求項２に記載の発明では、前記判定手段は、現在視聴中の受信チャンネルを設定したリモコンを識別するリモコン識別データと、そのリモコンの優先権の有無と、設定した受信チャンネル番号とを含むチャンネル変更指示を各視聴系統毎に記憶しておき、前記リモコンのいずれかがチャンネル変更指示する毎に、今回チャンネル変更指示したリモコンと、そのチャンネル変更指示を受けた視聴系統との組合わせが前回と異なり、かつ今回チャンネル変更指示したリモコンが優先権を有するか否かを判定することを特徴とする。
【０００８】
請求項３に記載の発明では、互いに無線接続される複数の視聴系統を有し、これら視聴系統がそれぞれリモコンから供給されるチャンネル変更指示により指定される受信チャンネルの放送を受信するホームネットワーク装置において、今回チャンネル変更指示したリモコンが前回チャンネル変更指示したリモコンとは異なり、かつ今回チャンネル変更指示したリモコンが優先権を有するか否かを判定する判定手段と、前記判定手段により判定される条件に合致した場合に、現在の受信チャンネル番号と、今回チャンネル変更指示したリモコンのリモコン番号とを含むパケットを他の視聴系統に送信する送信手段と、他の視聴系統が備える前記送信手段から送信されるパケットを受信し、受信したパケットに含まれるリモコン番号が現在の受信チャンネルを設定したリモコンのリモコン番号と同じであるかどうかを判断し、同じならば受信したパケットに含まれる受信チャンネル番号で指示される受信チャンネルに変更するチャンネル変更手段とを具備することを特徴とする。
【０００９】
請求項４に記載の発明では、複数の視聴系統を有し、これら視聴系統がそれぞれリモコンから供給されるチャンネル変更指示により指定される受信チャンネルの放送を受信するホームネットワーク装置で実行される処理プログラムであって、前記リモコンのいずれかがチャンネル変更指示する毎に、今回チャンネル変更指示したリモコンと、そのチャンネル変更指示を受けた視聴系統との組合わせが前回と異なり、かつ今回チャンネル変更指示したリモコンが優先権を有するか否かを判定する判定処理と、前記判定処理により判定される条件に合致した場合に、今回チャンネル変更指示を受けた視聴系統の受信チャンネルを、今回チャンネル変更指示したリモコンが前回チャンネル変更指示した視聴系統に割り当てるチャンネル割当て処理とをコンピュータで実行させることを特徴とする。
【００１０】
上記請求項４に従属する請求項５に記載の発明では、前記判定処理は、現在視聴中の受信チャンネルを設定したリモコンを識別するリモコン識別データと、そのリモコンの優先権の有無と、設定した受信チャンネル番号とを含むチャンネル変更指示を各視聴系統毎に記憶しておき、前記リモコンのいずれかがチャンネル変更指示する毎に、今回チャンネル変更指示したリモコンと、そのチャンネル変更指示を受けた視聴系統との組合わせが前回と異なり、かつ今回チャンネル変更指示したリモコンが優先権を有するか否かを判定することを特徴とする。
【００１１】
請求項６に記載の発明では、互いに無線接続される複数の視聴系統を有し、これら視聴系統がそれぞれリモコンから供給されるチャンネル変更指示により指定される受信チャンネルの放送を受信するホームネットワーク装置で実行される処理プログラムであって、今回チャンネル変更指示したリモコンが前回チャンネル変更指示したリモコンとは異なり、かつ今回チャンネル変更指示したリモコンが優先権を有するか否かを判定する判定処理と、前記判定処理により判定される条件に合致した場合に、現在の受信チャンネル番号と、今回チャンネル変更指示したリモコンのリモコン番号とを含むパケットを他の視聴系統に送信する送信処理と、他の視聴系統で実行された前記送信処理が送信するパケットを受信し、受信したパケットに含まれるリモコン番号が現在の受信チャンネルを設定したリモコンのリモコン番号と同じであるかどうかを判断し、同じならば受信したパケットに含まれる受信チャンネル番号で指示される受信チャンネルに変更するチャンネル変更処理とをコンピュータで実行させることを特徴とする。
【発明の効果】
【００１２】
請求項１、４に記載の発明では、リモコンのいずれかがチャンネル変更指示する毎に、今回チャンネル変更指示したリモコンと、そのチャンネル変更指示を受けた視聴系統との組合わせが前回と異なり、かつ今回チャンネル変更指示したリモコンが優先権を有するか否かを判定し、この条件に合致すると、今回チャンネル変更指示を受けた視聴系統の受信チャンネルを、今回チャンネル変更指示したリモコンが前回チャンネル変更指示した視聴系統に割り当てるので、ある視聴系統で受信チャンネルが変更された場合に、その変更以前の受信チャネルを即座に他の視聴系統に設定することができる。
【００１３】
請求項３、６に記載の発明では、今回チャンネル変更指示したリモコンが前回チャンネル変更指示したリモコンとは異なり、かつ今回チャンネル変更指示したリモコンが優先権を有するか否かを判定し、この条件に合致すると、現在の受信チャンネル番号と、今回チャンネル変更指示したリモコンのリモコン番号とを含むパケットを他の視聴系統に送信する。これを受信した視聴系統では、受信したパケットに含まれるリモコン番号が現在の受信チャンネルを設定したリモコンのリモコン番号と同じであるかどうかを判断し、同じならば受信したパケットに含まれる受信チャンネル番号で指示される受信チャンネルに変更するので、ある視聴系統で受信チャンネルが変更された場合に、その変更以前の受信チャネルを即座に他の視聴系統に設定することができる。
【発明を実施するための最良の形態】
【００１４】
以下、図面を参照して本発明の実施の形態について説明する。
Ａ．第１実施形態
（１）構成
図１は本発明の第１実施形態によるホームネットワーク装置１００の構成を示すブロック図である。この図に示すホームネットワーク装置１００は、放送受信部１０、制御部２０、コンテンツ蓄積部３０および配信部４０から構成され、宅内の各部屋に設置されるテレビ５０−１〜５０−３がそれぞれ要求する受信チャンネルの放送を配信する。
【００１５】
リモコン５１〜５３は、周知の赤外線リモコン等で構成され、電源オンオフを指示する電源スイッチや受信チャンネルの切り替えを指示するチャンネルスイッチ等を備える。これらリモコン５１〜５３では、チャンネルスイッチの操作に応じたチャンネル設定信号を発生する。チャンネル設定信号は、リモコン識別データ、優先権の有無および受信チャンネル番号を含む。これらリモコン５１〜５３のいずれかの１つには、受信チャンネルの切換えを優先的に行わせる優先権が付与される。本実施形態では、一例としてリモコン５１に優先権を付与する。
【００１６】
テレビ５０−１〜５０−３は、配信部４０（後述する）から供給される映像・音声信号を映像表示および音声再生する一方、それぞれリモコン５１〜５３から赤外線送出されるチャンネル設定信号を受信して制御部２０に出力する。放送受信部１０は、複数のチューナを有し、制御部２０から供給される受信チャンネル番号で指定される各放送信号をそれぞれ受信復調してコンテンツ蓄積部３０に出力する。
【００１７】
制御部２０は、チャンネルテーブルＣＴＬを有する。チャンネルテーブルＣＴＬとは、上述したチャンネル設定信号（リモコン識別データ、優先権の有無、受信チャンネル番号）を各テレビ５０−１〜５０−３毎に記憶したテーブルである。チャンネルテーブルＣＴＬでは、チャンネル設定が行われる毎に新たなチャンネル設定信号が更新登録される。制御部２０では、こうしたチャンネルテーブルＣＴＬを参照したチャンネル変更処理（後述する）を行い、チャンネル変更された映像・音声信号を指定の視聴系統（テレビ５０−１〜５０−３）に配信するよう配信部４０に指示する。
【００１８】
具体的には、例えばテレビ５０−１〜５０−３がそれぞれ「Ａｃｈ」、「Ｂｃｈ」、「Ｃｃｈ」を視聴している状態で、優先権を有するリモコン５１がテレビ５０−２の受信チャンネルを「Ａｃｈ」に変更するチャンネル設定信号を発生した場合、テレビ５０−２の受信チャンネルを「Ａｃｈ」に変更すると同時に、テレビ５０−１の受信チャンネルを「Ｂｃｈ」に変更する。つまり、チャンネル変更処理では、ある視聴系統の受信チャンネルが変更された場合に、変更以前の受信チャンネルを他の視聴系統にアサインするようになっている。
【００１９】
制御部２０では、テレビ５０−１〜５０−３側から出力されるチャンネル設定信号から受信チャンネル番号を抽出して放送受信部１０に供給する。コンテンツ蓄積部３０は、制御部２０の制御の下に、放送受信部１０が受信復調した各受信チャンネルの映像・音声信号を配信部４０にスルー出力したり、あるいは制御部２０が指定する受信チャンネルの映像・音声信号を録画又は再生する。配信部４０は、コンテンツ蓄積部３０から出力される映像・音声信号を、制御部２０が指定する視聴系統（テレビ５０−１〜５０−３）に配信出力する。
【００２０】
（２）動作
次に、図２を参照して制御部２０が実行するチャンネル変更処理の動作を説明する。テレビ５０−１〜５０−３のいずれかからチャンネル設定信号が入力されると、制御部２０は図２に図示するチャンネル変更処理を実行し、ステップＳＡ１に進む。ステップＳＡ１では、前述したチャンネルテーブルＣＴＬを参照してチャンネル設定信号を出力したテレビとリモコンの組合わせが前回と同じであるか否かを判断する。
【００２１】
例えば、リモコン５２の操作によりテレビ５０−２で「Ｂｃｈ」を視聴していた状態で、リモコン５２を操作してテレビ５０−２のチャンネルを「Ｃｃｈ」に変更したとする。そうすると、この場合にはテレビとリモコンの組合わせが前回と同じになる為、ステップＳＡ１の判断結果は「ＹＥＳ」になり、ステップＳＡ２に進む。
【００２２】
ステップＳＡ２では、チャンネル設定信号から抽出した受信チャンネル番号を放送受信部１０に供給する一方、チャンネル変更された映像・音声信号をテレビ５０−２に配信するよう配信部４０に指示する。これにより、チャンネル変更の指示のあったテレビの受信チャンネルのみが変更される。つまり、上記一例の場合、テレビ５０−２の受信チャンネルが「Ｂｃｈ」から「Ｃｃｈ」に変更される。この後、制御部２０は本処理を終えてチャンネル設定信号入力待ちの状態となる。
【００２３】
一方、チャンネル設定信号を出力したテレビとリモコンの組合わせが前回と異なる場合、例えばリモコン５２の操作によりテレビ５０−２が「Ａｃｈ」を視聴している状態で、優先権を有していないリモコン５３を操作してテレビ５０−２のチャンネルを「Ｃｃｈ」に変更したとする。そうすると、テレビとリモコンの組合わせが前回と異なるので、上記ステップＳＡ１の判断結果が「ＮＯ」になり、ステップＳＡ３に進む。
【００２４】
ステップＳＡ３では、優先権を持つリモコンのチャンネル変更であるか否かを判断する。上記一例の場合には、優先権を有していないリモコン５３の操作によるチャンネル変更なので、判断結果は「ＮＯ」となり、上述のステップＳＡ２に進み、チャンネル変更の指示のあったテレビの受信チャンネルのみを変更した後、本処理を終えてチャンネル設定信号入力待ちの状態となる。
【００２５】
これに対し、例えばリモコン５１〜５３の各操作によりテレビ５０−１〜５０−３がそれぞれ「Ａｃｈ」、「Ｂｃｈ」、「Ｃｃｈ」を視聴している状態で、優先権を有するリモコン５１がテレビ５０−２のチャンネルを「Ａｃｈ」に変更するチャンネル設定信号を発生した場合を想定する。この場合、テレビとリモコンの組合わせが前回と異なるから、上記ステップＳＡ１の判断結果は「ＮＯ」となり、ステップＳＡ３に進み、さらに優先権を持つリモコンの操作によるチャンネル変更である為、このステップＳＡ３の判断結果が「ＹＥＳ」になり、ステップＳＡ４に進む。
【００２６】
そして、ステップＳＡ４では、チャンネル変更の指示のあったテレビの現在のチャンネルを同じリモコンが前回チャンネル変更指示を行ったテレビに移動させる。つまり、上記一例の場合には、テレビ５０−２の受信チャンネルを「Ａｃｈ」に変更すると同時に、テレビ５０−１の受信チャンネルを「Ｂｃｈ」に変更するよう配信部４０に指示する。こうして、ある視聴系統の受信チャンネルが変更された場合に、変更以前の受信チャンネルを他の視聴系統にアサインすると、ステップＳＡ５に進む。
【００２７】
ステップＳＡ５では、チャンネル設定信号から抽出した受信チャンネル番号を放送受信部１０に供給する一方、チャンネル変更された映像・音声信号をテレビ５０−２に配信するよう配信部４０に指示することより、チャンネル変更の指示のあったテレビの受信チャンネルのみを変更した後、本処理を終えてチャンネル設定信号入力待ちの状態となる。
【００２８】
以上のように、第１実施形態では、現在視聴中の受信チャンネルを設定したリモコンを識別するリモコン識別データと、そのリモコンの優先権の有無と、設定した受信チャンネル番号とを含むチャンネル設定信号を、各視聴系統（テレビ５０−１〜５０−３）毎に記憶するチャンネルテーブルＣＴＬを設けておき、チャンネル設定信号が発生する都度、このチャンネルテーブルＣＴＬを参照してテレビとリモコンの組合わせが前回と異なり、かつ優先権を持つリモコンの操作によるチャンネル変更であるか否かを判断する。そして、この条件に合致すれば、チャンネル変更の指示のあった視聴系統の現在の受信チャンネルを同じリモコンが前回チャンネル変更指示を行った視聴系統に移動させる。これにより、ある視聴系統で受信チャンネルが変更された場合に、その変更以前の受信チャネルを即座に他の視聴系統に設定することができる。
【００２９】
なお、本実施形態では、ある視聴系統で受信チャンネルが変更された場合に、その変更以前の受信チャネルを即座に他の視聴系統に設定するようにしたが、これに替えて、ある視聴系統で受信チャンネルが変更されたら、その変更以前の受信チャネルを即座に録画させる態様としても良い。例えばテレビ５０−１〜５０−２がそれぞれ「Ａｃｈ」、「Ｂｃｈ」を視聴している状態で、優先権を有するリモコン５１がテレビ５０−２の受信チャンネルを「Ａｃｈ」に変更するチャンネル設定信号を発生したら、テレビ５０−２で視聴していた「Ｂｃｈ」の放送をコンテンツ蓄積部３０に録画させると同時に、テレビ５０−２の受信チャンネルを「Ａｃｈ」に変更する。このようにすることで、放送時刻が重なる２つの番組の一方を視聴しながら他方を録画する為、見たい番組の見逃しを防ぐことが可能になる。
【００３０】
Ｂ．第２実施形態
（１）構成
図２は本発明の第２実施形態によるホームネットワーク装置の構成を示すブロック図である。この図に示すホームネットワーク装置は、複数の視聴系統（放送受信機６０−１〜６０−３）から構成される。各視聴系統（放送受信機６０−１〜６０−３）は、それぞれリモコン受光部６０ａ、制御部６０ｂ、放送受信部６０ｃ、表示部６０ｄおよび通信部６０ｅから構成される。
【００３１】
リモコン受光部６０ａは、リモコン７０〜７２からの赤外線を受光し、当該赤外線により搬送される制御データを復調して制御部６０ｂに出力する。リモコン７０〜７２は、周知の赤外線リモコン等で構成され、電源オンオフを指示する電源スイッチや受信チャンネルの切り替えを指示するチャンネルスイッチ等を備える。
【００３２】
これらリモコン７０〜７２では、チャンネルスイッチの操作に応じた制御データとしてチャンネル設定信号を発生する。チャンネル設定信号は、自己のリモコン番号、優先権の有無および受信チャンネル番号を含む。したがって、リモコン受光部６０ａは、リモコン７０〜７２のいずれかから制御データ（チャンネル設定信号）を受領した場合、当該制御データを復調して自己のリモコン番号、優先権の有無および受信チャンネル番号を含むチャンネル設定信号を制御部６０ｂに供給する。
【００３３】
制御部６０ｂは、リモコン受光部６０ａが出力するチャンネル設定信号から受信チャンネル番号を抽出して放送受信部６０ｃに供給する。また、制御部６０ｂは、上述したチャンネル設定信号（リモコン番号、優先権の有無、受信チャンネル番号）を、チャンネル設定毎に更新登録するチャンネル設定レジスタＣＳＲを有し、このチャンネル設定レジスタＣＳＲを参照したチャンネル変更処理を実行する。チャンネル変更処理では、後述するように、優先権を有するリモコンからのチャンネル変更指示があった場合に、通信部６０ｅを介して他の視聴系統の受信チャンネル変更指示を無線送信する。
【００３４】
具体的には、例えば各視聴系統（放送受信機６０−１〜６０−３）がそれぞれ「Ａｃｈ」、「Ｂｃｈ」、「Ｃｃｈ」を視聴している状態で、優先権を有するリモコン７０が放送受信機６０−２の受信チャンネルを「Ａｃｈ」に変更するチャンネル設定信号を発生した場合、放送受信機６０−２の制御部６０ｂが受信チャンネルを「Ａｃｈ」に変更すると同時に、放送受信機６０−２の制御部６０ｂが通信部６０ｅを介して放送受信機６０−１側に受信チャンネルを「Ｂｃｈ」に変更するよう指示する。つまり、チャンネル変更処理では、ある視聴系統の受信チャンネルが変更された場合に、変更以前の受信チャンネルを他の視聴系統にアサインする。
【００３５】
さらに、制御部６０ｂでは、通信部６０ｅを介して他の視聴系統から受信チャンネルの変更指示を受信した場合、変更指示された受信チャンネル番号を放送受信部６０ｃに供給する。放送受信部６０ｃは、制御部６０ｂから供給される受信チャンネル番号で指定される放送信号をアンテナＡＮＴ１を介して受信復調して表示部６０ｄに出力する。通信部６０ｅは、制御部６０ｂから与えられる送出パケットをアンテナＡＮＴ２から無線送信する一方、他の視聴系統からの送出パケットをアンテナＡＮＴ２を介して受信して制御部６０ｂに出力する。
【００３６】
（２）動作
次に、図４〜図５を参照して第２実施形態の動作を説明する。以下では、例えば放送受信機６０−１の制御部６０ｂが実行するチャンネル変更処理について述べる。放送受信機６０−１の受光部６０ａがリモコン７０〜７２のいずれかからチャンネルスイッチの操作に応じた制御データを受領すると、当該制御データを復調して自己のリモコン番号、優先権の有無および受信チャンネル番号を含むチャンネル設定信号を制御部６０ｂに供給する。すると、放送受信機６０−１の制御部６０ｂは、図４に図示するチャンネル変更処理を実行し、ステップＳＢ１に進む。ステップＳＢ１では、前述したチャンネル設定レジスタＣＳＲを参照して、今回のチャンネル設定信号を出力したリモコンが前回と同じであるか否かを判断する。
【００３７】
例えば、リモコン７１の操作により放送受信機６０−１が「Ｂｃｈ」を視聴していた状態で、同じリモコン７１を操作して放送受信機６０−１のチャンネルを「Ｃｃｈ」に変更したとする。そうすると、この場合には前回と同じリモコンからのチャンネル変更指示となるので、上記ステップＳＢ１の判断結果は「ＹＥＳ」になり、ステップＳＢ２に進み、受光部６０ａが供給するチャンネル設定信号から抽出した受信チャンネル番号を放送受信部６０ｃに供給する。これにより、指示された受信チャンネルに変更する。つまり、上記一例の場合、放送受信機６０−１の受信チャンネルが「Ｂｃｈ」から「Ｃｃｈ」に変更される。この後、制御部２０は本処理を終えてチャンネル設定信号入力待ちの状態となる。
【００３８】
一方、今回のチャンネル設定信号を出力したリモコンが前回と異なる場合、例えばリモコン７１の操作により放送受信機６０−１が「Ａｃｈ」を視聴している状態で、優先権を有していないリモコン７２を操作して放送受信機６０−１の受信チャンネルを「Ｃｃｈ」に変更したとする。そうすると、今回のチャンネル設定信号を出力したリモコンが前回と異なるので、上記ステップＳＢ１の判断結果が「ＮＯ」になり、ステップＳＢ３に進む。ステップＳＢ３では、優先権を持つリモコンによるチャンネル変更であるか否かを判断する。上記一例の場合には、優先権を有していないリモコン７２の操作によるチャンネル変更なので、判断結果は「ＮＯ」となり、上述のステップＳＢ２に進み、指示された受信チャンネルに変更した後、本処理を終えてチャンネル設定信号入力待ちの状態となる。
【００３９】
これに対し、例えばリモコン７０〜７２の各操作により各視聴系統（放送受信機６０−１〜６０−３）がそれぞれ「Ａｃｈ」、「Ｂｃｈ」、「Ｃｃｈ」を視聴している状態で、優先権を有するリモコン７０により放送受信機６０−２の受信チャンネルを「Ａｃｈ」に変更するチャンネル設定信号を発生した場合を想定する。この場合、今回のチャンネル設定信号を出力したリモコンが前回と異なる為、上記ステップＳＢ１の判断結果は「ＮＯ」となり、ステップＳＢ３に進み、さらに優先権を持つリモコンの操作によるチャンネル変更であるから、このステップＳＢ３の判断結果が「ＹＥＳ」になり、ステップＳＢ４に進む。
【００４０】
そして、ステップＳＢ４では、現在の受信チャンネル番号と、今回のチャンネル設定信号を出力したリモコンのリモコン番号とを含むパケットを形成して通信部６０ｅから無線送信する。上記一例の場合、現在の受信チャンネル「Ｂｃｈ」と、リモコン７０のリモコン番号とを含むパケットを、他の視聴系統（放送受信機６０−１、６０−３）に無線送信する。
【００４１】
次いで、ステップＳＢ５では、受光部６０ａが供給するチャンネル設定信号から抽出した受信チャンネル番号を放送受信部６０ｃに供給して指示された受信チャンネルに変更する。つまり、上記一例の場合には、優先権を有するリモコン７０の操作により放送受信機６０−２の受信チャンネルが「Ｂｃｈ」から「Ａｃｈ」に変更される。この後、制御部２０は本処理を終えてチャンネル設定信号入力待ちの状態となる。
【００４２】
さて、上記ステップＳＢ４において無線送信されたパケットは、他の視聴系統（放送受信機６０−１、６０−３）で受信される。パケットを受信した視聴系統（放送受信機６０−１、６０−３）の制御部６０ｂは、図５に図示するパケット受信処理を実行し、ステップＳＣ１に処理を進める。ステップＳＣ１では、受信したパケットに含まれるリモコン番号と、前述したチャンネル設定レジスタＣＳＲに格納されるリモコン番号とが一致するか、つまり受信したパケットに含まれるリモコン番号が現在の受信チャンネルを設定したリモコンのリモコン番号と同じであるかどうかを判断する。
【００４３】
上記一例の場合、放送受信機６０−３では、受信したパケットに含まれるリモコン番号と、前述したチャンネル設定レジスタＣＳＲに格納されるリモコン番号とが一致しないので、判断結果は「ＮＯ」になり、何も行わずに本処理を終える。したがって、放送受信機６０−３では、チャンネル変更を行わず、「Ｃｃｈ」を視聴している状態を維持する。
【００４４】
これに対し、放送受信機６０−１では、受信したパケットに含まれるリモコン番号と、前述したチャンネル設定レジスタＣＳＲに格納されるリモコン番号とが一致する為、判断結果は「ＹＥＳ」になり、ステップＳＣ２に進む。ステップＳＣ２では、受信したパケットに含まれる受信チャンネル番号を放送受信部６０ｃに供給して指示された受信チャンネルに変更する。すなわち、上記一例の場合には、放送受信機６０−１の受信チャンネルが「Ａｃｈ」から「Ｂｃｈ」に自動的に変更される。
【００４５】
このように、第２実施形態では、チャンネル変更を指示したリモコンから出力されるチャンネル設定信号（リモコン番号、優先権の有無および受信チャンネル番号）を一時記憶するチャンネル設定レジスタＣＳＲを、各視聴系統（放送受信機６０−１〜６０−３）に設ける。各視聴系統は、チャンネル設定レジスタＣＳＲを参照し、今回のチャンネル設定信号を出力したリモコンが前回と異なり、かつ優先権を持つリモコンの操作によるチャンネル変更であるかどうかを判断する。この条件に合致した場合には、現在の受信チャンネル番号と、今回のチャンネル設定信号を出力したリモコンのリモコン番号とを含むパケットを形成して他の視聴系統に無線送信する。
【００４６】
このパケットを受信した他の視聴系統では、受信したパケットに含まれるリモコン番号が現在の受信チャンネルを設定したリモコンのリモコン番号と同じであるかどうかを判断し、同じならば受信したパケットに含まれる受信チャンネル番号で指示される受信チャンネルに変更する。この結果、ある視聴系統で受信チャンネルが変更された場合に、その変更以前の受信チャネルを即座に他の視聴系統に設定することが可能になる。
【図面の簡単な説明】
【００４７】
【図１】第１実施形態の構成を示すブロック図である。
【図２】第１実施形態のチャンネル変更処理の動作を示すフローチャートである。
【図３】第２実施形態の構成を示すブロック図である。
【図４】第２実施形態のチャンネル変更処理の動作を示すフローチャートである。
【図５】第２実施形態のパケット受信処理の動作を示すフローチャートである。
【符号の説明】
【００４８】
１０  放送受信部
２０  制御部
３０  コンテンツ蓄積部
４０  配信部
５０−１〜５０−３  テレビ
５１〜５３  リモコン
１００  ホームネットワーク装置
【図１】
2007067883.tif 000003
【図２】
2007067883.tif 000004
【図３】
2007067883.tif 000005
【図４】
2007067883.tif 000006
【図５】
2007067883.tif 000007